(57)【要約】【課題】  本発明の目的はランプ交換が容易で、かつ器具の幅の小さい投光器を提供することにある。【解決手段】  基端開口面３０とそれに対向した投光側開口面３２とを有する反射体１４と、反射体１４の基端開口面３０の開口縁を支持する支持枠２０と、ソケット金具３８を介して片口金ランプ１２を支持するソケット部１８を保持し、支持枠２０に対し回動自在に軸支された開閉蓋１６と、反射体１４の外側に設けられたソケット収納部２８と、を備え、開閉蓋１６は閉じた状態でソケット部１８をソケット収納部２８内、かつランプ１２を反射体１４内に位置するようにソケット部１８を保持し、開閉蓋１６の回動軸２６はランプ軸方向に対して直角で、ソケット収納部２８が位置する側かつ開閉蓋１６の閉じたときのソケット部１８の位置よりも内側に設けられたことを特徴とする投光器１０。【選択図】      図１
2005302710.tif 000002
【特許請求の範囲】
【請求項１】
基端開口面とそれに対向した投光側開口面とを有する反射体と、
前記反射体の基端開口面の開口縁を支持する支持枠と、
片口金ランプを支持するソケット部を保持し、前記支持枠に対し回動自在に軸支された開閉蓋と、
前記反射体の外側に設けられ、前記基端開口面の開口縁よりも外方向に突出した形状のソケット収納部と、
を備え、
前記開閉蓋は閉じた状態で、前記ソケット部を前記ソケット収納部内に位置させ、かつ前記ランプが前記反射体およびその基端開口面と投光側開口面に囲まれる空間内に位置するように、前記ソケット部を保持し、
前記開閉蓋の回動軸はその方向が前記ランプ軸方向に対して直角方向であり、ソケット収納部が位置する側で、かつ前記開閉蓋の閉じたときのソケット部の位置よりも内側に設けられたことを特徴とする投光器。
【請求項２】
請求項１記載の投光器において、
前記基端開口面のランプ軸方向の寸法は、ランプをソケット部に装着したときのランプとソケット部を合わせたランプ軸方向の寸法よりも小さいことを特徴とする投光器。
【請求項３】
請求項１または２に記載の投光器において、
前記ソケット部は前記開閉蓋と連動して回動し、前記ソケット収納部は前記開閉蓋の回動に連動した前記ソケット部の回動運動を行うのに十分な空間を有することを特徴とする投光器。
【請求項４】
請求項１から３のいずれかに記載の投光器において、
前記開閉蓋を開くことで、基端開口面からのランプの交換が可能であることを特徴とする投光器。
【発明の詳細な説明】
【技術分野】
【０００１】
本発明は投光器、特にそのランプ交換機構の改良に関する。
【背景技術】
【０００２】
屋外のグラウンド等の照明を行うために投光器が設置される。これらの投光器のランプ交換方法には、様々なものがあり、例えば、特許文献１では、投光面の側面からランプの交換を行うような構成となっている。
【特許文献１】特開平１０−３３４７０３号公報
【発明の開示】
【発明が解決しようとする課題】
【０００３】
特許文献１に記載されたようなランプ交換が側面方向の投光器は、例えば、Φ１２０ｍｍのＨＩＤ１５００Ｗのランプの場合、ランプ交換口は、Φ１２０ｍｍ以上あればよいことになり、小さくて済むが、ランプ交換が横方向になり後方からのランプ交換が困難となる。また、投光器の側面からランプを取り出すため、投光器を横方向に並べて設置することができなくなることもある。
ランプの後方（投光面の後ろ側）からランプ交換が行うことができる方が、投光器を取り付ける架台からの交換がし易くなる。しかしながら、例えば、全長４１５ｍｍ（ランプ＋ソケット）のＨＩＤ（高輝度放電ランプ）１５００Ｗのランプにおいて、後方からランプ交換をする場合、最低４１５ｍｍ以上のランプ交換口が必要となり、交換口が非常に大きくなるとともに、器具の幅も大きくなってしまう。
また、ランプ交換が前面部の投光器は、ランプ全体が入る幅が必要になるとともに、後方からのランプ交換の際は器具を回転させて、前面部を手前にもってくる必要があり、ランプ交換作業が煩雑なものとなる。
本発明は上記課題に鑑みなされたものであり、その目的は、ランプ交換が容易で、かつ器具の幅の小さい投光器を提供することにある。
【課題を解決するための手段】
【０００４】
上記目的を達成するため、本発明の投光器は、基端開口面とそれに対向した投光側開口面とを有する反射体と、前記反射体の基端開口面の開口縁を支持する支持枠と、片口金ランプを支持するソケット部を保持し、前記支持枠に対し回動自在に軸支された開閉蓋と、前記反射体の外側に設けられ、前記基端開口面の開口縁よりも外方向に突出した形状のソケット収納部と、を備え、前記開閉蓋は閉じた状態で、前記ソケット部を前記ソケット収納部内に位置させ、かつ前記ランプが前記反射体およびその基端開口面と投光側開口面に囲まれる空間内に位置するように、前記ソケット部を保持し、前記開閉蓋の回動軸はその方向が前記ランプ軸方向に対して直角方向であり、ソケット収納部が位置する側で、かつ前記開閉蓋の閉じたときのソケット部の位置よりも内側に設けられたことを特徴とする。
【０００５】
上記の投光器において、前記基端開口面のランプ軸方向の寸法は、ランプをソケット部に装着したときのランプとソケット部を合わせたランプ軸方向の寸法よりも小さいことが好適である。
上記の投光器において、前記ソケット部は前記開閉蓋と連動して回動し、前記ソケット収納部は前記開閉蓋の回動に連動した前記ソケット部の回動運動を行うのに十分な空間を有することが好適である。
上記の投光器において、前記開閉蓋を開くことで、基端開口面からのランプの交換が可能であることが好適である。
【発明の効果】
【０００６】
本発明の投光器によれば、基端開口面の開口縁よりも外方向に突出した形で反射体に設けられたソケット収納部を備えているため、ランプを取り出す基端開口面の大きさを小さくすることができ、器具を小型化することが可能となる。
また、本発明の投光器によれば、開閉蓋に保持されたソケット部は開閉蓋と連動して回動し、ソケット収納部はソケット部の回動運動を行うのに十分な空間を有するため、ランプの交換が容易となる。
【発明を実施するための最良の形態】
【０００７】
以下に図面を参照して本発明の好適な実施形態について説明を行う。図１、２に本実施形態の投光器の側面図、図３に投光面側から見た正面図、図４に背面図をそれぞれ示している。
本実施形態の投光器１０は、ランプ１２の光を投光側開口面３２に向けて反射する反射面をその内側に有する反射体１４と、反射体１４の基端開口面３０の開口縁を支持する支持枠２０と、該支持枠２０に対し回動自在に軸支された開閉蓋１６とを備えている。開閉蓋１６はソケット金具３８を介してランプ１２とソケット部１８を保持するよう構成され、それにより開閉蓋１６が閉じた状態ではランプ１２は基端開口面３０近傍に位置することとなる。
反射体１４は、投光側開口面３２と、該投光側開口面３２に対向した基端開口面３０とを有しており、本実施形態では基端開口面３０から投光側開口部３２へ向かうにつれて拡開された形状となっている。ただし、基端開口面３０と投光側開口面３２の大きさが同じでもかまわない。開閉蓋１６が閉じた状態のとき、ランプ１２は、反射体１４と、その基端開口面３０および投光側開口面３２とに囲まれる空間内（つまり、反射体１４の内側）に位置するように保持されている。
【０００８】
支持枠２０はアーム２４を取り付けるためのアーム取り付け部２２を備えている。支持枠２０は反射体１４及び開閉蓋１６等の重量を支えるために、十分な強度を有している。
開閉蓋１６は支持枠２０の一端（回動軸２６）に回動自在に軸支されており、開閉蓋１６を回動することで、基端開口面３０の開閉を行うことができる。そして、閉じた状態ではランプ１２を基端開口面３０近傍に位置させており、基端開口面３０を開いたときには、開閉蓋１６にソケット金具３８を介して保持されたランプ１２も連動して回動し、基端開口面３０から反射体１４の外側へランプが出てくる（図５参照）。これによって、後方からのランプの交換が容易となる。
【０００９】
本実施形態ではランプ１２として片口金ランプを使用しており、ランプ１２の口金を嵌めるソケット部１８は一つである。さらに、反射体１４の外側にはソケット部１８を収納するソケット収納部２８を備える。ソケット収納部２８は、基端開口面３０の開口縁よりも外方向に突出した形で、反射体１４に設けられている。つまり、基端開口面３０から投光側開口面３２へと向う方向に略直角な方向へ突出した形で反射体１４に設けられている。開閉蓋１６はソケット金具３８を介してソケット部１８を保持しており、閉じた状態ではソケット部１８をソケット収納部２８内に位置させている。
開閉蓋１６の回動軸２６はソケット収納部２８が位置する側に設けられ、回動軸２６方向とランプ１２の軸方向（図１の一点鎖線ａ）とは互いに垂直となっている。また、回動軸２６は前記開閉蓋の閉じたときのソケット部１８の位置よりも内側（ソケット収納部２８の突出方向と逆方向）に設けられている。開閉蓋１６が閉じた状態では、ランプ１２はその軸方向が基端開口面３０もしくは投光側開口面３２に平行（光の放射方向と直角）となるように保持されており、ランプの交換時には、開閉蓋１６はランプ１２の先端側から開くようになっている。
【００１０】
基端開口面３０のランプ１２軸方向の寸法は、ランプ１２をソケット部１８に装着したときのランプとソケット部を合わせたランプ軸方向の寸法よりも小さくなるようにとっている。そして開閉蓋１６が閉じた状態において、ランプ１２は反射体１４およびその基端開口面３０と投光側開口面３２に囲まれる空間内に位置し、またソケット部１８はソケット収納部２８内に位置することになる。
上記のように回動軸２６が設置されているため、開閉蓋１６の開閉時のランプ１２の回動軌道の半径が小さくなる。この結果、基端開口面３０の大きさを小さくすることができ、投光器自体も小型化できる。
また、開閉蓋１６の回動に連動してソケット部１８も回動するため、ソケット収納部２８は、ソケット部１８の回動運動を行うのに十分な空間を有している。このため、ランプ交換時の作業をスムーズに行うことができる。
【００１１】
以上が本実施形態の概略構成であり、以下にその作用について、図５を参照して説明する。図５（Ａ）に示すように、通常の状態では、開閉蓋１６はロック部３６によって支持枠２０にロックされており、基端開口面３０はランプ開閉蓋１６で閉じられた状態となっている。このとき、ランプ１２は反射体１４内の基端開口面３０近傍に位置しており、またソケット部１８はソケット収納部２８内に収納された状態となっている。
【００１２】
ランプ交換時には、図５（Ｂ）に示すように、ロック部３６のロックを外して開閉蓋１６を回動軸２６を中心に回動させ、基端側開口面３０を開く。すると、開閉蓋１６に、ソケット金具３８を介して保持されたソケット部１８およびランプ１２も連動して回動し、ランプ１２の先端から持ち上がった状態で、基端開口面３０を通って出てくる。ソケット収納部２８はソケット部１８の回動運動を行うのに十分な空間を有しているため、ソケット部１８が回動運動を邪魔されることはない。
さらに、完全に基端開口面３０を開いた状態では、ソケット部１８の一部も基端開口面３０を通って反射体１４の外側へ出てくる。このような状態でランプ交換を行えるため、作業が非常に容易となる。また、回動軸２６が、ソケット部１８よりもランプ１２の先端側にあるため、ランプ１２の先端部分の回転半径が小さくなり、基端開口面３０の大きさを小さくすることができる。
【００１３】
以上のように、本実施形態では、開閉蓋１６を回動自在としており、反射体１４の基端開口面３０を開くと、ランプ１２自体も開閉蓋１６と連動して回動し、ランプ１２が反射体１４の外に出てくるため、容易にランプ交換をすることができる。
また、支持枠２０にアーム取り付け部２２を設け、支持枠２０の強度を反射体１４、ランプ１２、及び開閉蓋１６等を支持するのに十分なものとしたため、反射体１４自体は支持枠と比較してそれほど強固に作る必要がなく、安価に製造することが可能となる。
【００１４】
本実施形態のように、反射体１４の基端開口面３０の縁よりも外方向に突出した形でソケット収納部２８を備え、回動軸２６を開閉蓋１６の閉じたときのソケット部１８の位置よりも内側に設けることとすれば、回動時にランプ１２先端部分が描く軌跡を小さくすることができる。そのため、基端開口面３０のランプ軸方向の寸法を小さくすることができるので器具全体をさらに小型化することが可能となる。
【図面の簡単な説明】
【００１５】
【図１】本発明の実施形態に係る投光器の側面図
【図２】本発明の実施形態に係る投光器の側面図
【図３】本発明の実施形態に係る投光器の正面図
【図４】本発明の実施形態に係る投光器の背面図
【図５】ランプ交換の説明図
【符号の説明】
【００１６】
１０        投光器
１２        ランプ
１４        反射体
１６        開閉蓋
１８        ソケット部
２０        支持枠
２２        アーム取り付け部
２４        アーム
２６        回動軸
２８        ソケット収納部
３０        基端開口面
３２        投光側開口面
３６        ロック部
３８        ソケット金具
【図１】
2005302710.tif 000003
【図２】
2005302710.tif 000004
【図３】
2005302710.tif 000005
【図４】
2005302710.tif 000006
【図５】
2005302710.tif 000007